(57)【要約】  無線中継局の接続関係更新の方法であって、（ａ）ある無線中継局ＲＳ１は、１つの基地局及びそれに所属する無線中継局を含む無線伝送ネットワークグループに既に接続され、ＲＳ１の接続関係の変更が必要であると判断する場合、目標ノードを選択し、（ｂ）目標ノードに接続更新するようにＲＳ１を指示し、ＲＳ１は、当該指示を受信した後、接続更新を起動し、新たなノードとの無線リンクを設立して、既存のデータチャンネルにおける、もう使用することのないリソースをリリースするステップを含む。本発明によれば、無線中継局の接続関係更新を実現することができると共に、付けられる端末とＲＳのサービス中断時間の最短化をさらに確保する措置をとることができる。
2010524368.tif 000002
【特許請求の範囲】
【請求項１】
無線中継局の接続関係更新の方法であって、
（ａ）ある無線中継局ＲＳ１は、１つの基地局及びそれに所属する無線中継局を含む無線伝送ネットワークグループに既に接続され、ＲＳ１の接続関係の変更が必要であると判断する場合、目標ノードを選択し、
（ｂ）ＲＳ１を目標ノードに接続更新するように指示し、ＲＳ１は、当該指示を受信した後、接続更新を起動し、新たなノードとの無線リンクを設立し、既存のデータチャンネルにおける、もう使用することのないリソースをリリースするステップを含む。
【請求項２】
無線伝送ネットワークグループにおける管理ノードは、本グループのトポロジー関係情報を記憶しており、ステップ（ｂ）の後、（ｃ）ＲＳ１の接続関係更新の前後に所属する伝送グループの管理ノードは、記憶された本伝送グループの無線ネットワークトポロジー情報を更新するステップをさらに含み、
或いは、無線伝送ネットワークグループにおける管理ノードは、本グループのトポロジー関係情報を記憶しており、ＲＳ１の更新の前後に伝送サブ網にアクセスし、且つ、前記伝送サブ網の代理ノードは本伝送サブ網の無線ネットワークトポロジー情報を記憶しており、ステップ（ｂ）の後、ＲＳ１の接続関係更新の前後に所属する伝送グループの管理ノードは、それに記憶された本伝送グループの無線ネットワークトポロジー情報を更新すると共に、ＲＳ１の更新の前後に位置する伝送サブ網の代理ノードは、それに記憶された伝送サブ網の無線ネットワークトポロジー情報を更新するステップをさらに含むことを特徴とする請求項１に記載の方法。
【請求項３】
ステップ（ａ）において、ＲＳ１の接続関係を変更するか否かは、ＲＳ１の位置する伝送グループの基地局ＢＳにより、記憶された情報及び設定された方針に基づいて判断し、当該ＢＳにより目標ノードを選択し、ステップ（ｂ）において、当該ＢＳは、前記目標ノードに接続更新する指示を、ＲＳ１に送信し、
或いは、ステップ（ａ）において、ＲＳ１の接続関係を変更するか否かは、ＲＳ１の位置する伝送サブ網の代理ノードＲＳにより、記憶された情報及び設定された方針に基づいて判断し、当該代理ノードＲＳにより目標ノードを選択し、ステップ（ｂ）において、前記代理ノードＲＳは、前記目標ノードに接続更新する指示を、ＲＳ１に送信することを特徴とする請求項１に記載の方法。
【請求項４】
ステップ（ａ）において、ＲＳ１の接続関係を変更するか否かは、ＲＳ１の位置する伝送サブ網の代理ノードＲＳ、或いは位置する伝送グループの基地局ＢＳにより、記憶された情報及び設定された方針に基づいて判断し、カバーの要求と、負荷バランスの要求と、スループットの向上の要求と、サービス品質の向上の要求と、オペレーターのネットワーク管理の要求とのトリガー方式のうちの１種或いは任意の組合せを有することを特徴とする請求項３に記載の方法。
【請求項５】
ステップ（ａ）において、ＲＳ１の接続関係を変更するか否かは、ＲＳ１自身により、記憶された情報及び設定された方針に基づいて判断し、ＲＳ１は、目標ノードを選択した後、本無線伝送ネットワークグループのＢＳ、或いは位置する伝送サブ網における代理ノードとしてのＲＳに、切替リクエストを自発的に送信し、前記ＢＳ或いはＲＳは、当該切替リクエストを受信した後、切替可能だと判断する場合、本ＢＳ或いはＲＳの選択する目標ノードを確認し、そうでなければ、切替リクエストを拒否することを特徴とする請求項１に記載の方法。
【請求項６】
前記ＢＳ或いは前記代理ノードＲＳは、ＲＳ１の切替リクエストを受信した後、ＲＳ１の選択した目標ノードを、本ＢＳ或いは本代理ノードＲＳの選択する目標ノードとし、或いは、ＲＳ１から提供された情報と、自身の記憶された情報及び設定された方針とに基づき、ＲＳ１の選択した目標ノードから、一部のノードを、本ＢＳ或いは本代理ノードＲＳの選択する目標ノードとして選択し、或いは、ＲＳ１から提供された情報と、自身の記憶された情報及び設定された方針とに基づき、ＲＳ１のために、新たな目標ノードを再選択することを特徴とする請求項５に記載の方法。
【請求項７】
ステップ（ａ）において、前記無線中継局が接続関係の更新を自発的にリクエストするトリガー方式は、よりよい無線信号の発見と、よりよい無線リソースを獲得する要求と、よりよいサービス品質を請求する要求と、ネットワーク管理要求とのトリガー方式のうちの１種或いは多種を含むことを特徴とする請求項５に記載の方法。
【請求項８】
ステップ（ａ）において、ＲＳ１の接続関係を更新するか否かの判断、及び目標ノードの選択における根拠としての情報は、本グループのネットワークトポロジー関係情報、本グループの無線リンク状況情報、隣接無線伝送ネットワークグループのネットワークトポロジー関係情報、隣接無線伝送ネットワークグループの無線リンク状況情報、ＲＳ１により計測された隣接セル情報のうちの１種或いは多種を含むことを特徴とする請求項１、３、５のなかのいずれか１つに記載の方法。
【請求項９】
ステップ（ａ）において、前記ＢＳ、或いは代理ノードとしてのＲＳは、目標ノードを選択した後、まず、切替リクエストを目標ノードに送信し、目標ノードの切替許可の応答を獲得した後、ステップ（ｂ）において、接続更新するようにＲＳ１を指示することを特徴とする請求項３或いは５に記載の方法。
【請求項１０】
ステップ（ｂ）において、ＲＳ１にはデータ伝送がある場合、既存の接続を保留すると共に、ＲＳ１の位置する伝送サブ網の代理ノードＲＳ、或いは位置する伝送グループの基地局ＢＳは、ＲＳ１のために、目標ノードへのデータチャンネルを設立して、当該データチャンネルでＲＳ１のダウンリンクデータを送信してから、ＲＳ１を目標ノードに接続更新するように指示することを特徴とする請求項３或いは５に記載の方法。
【請求項１１】
前記目標ノードは、他の１つの無線伝送ネットワークグループに所属する場合、以下の方式のうちの１つに従い、前記目標ノードへのデータチャンネルを設立し、
第一種：目標ノードは他の１つの基地局である場合は、ネットワーク側データノード→ＲＳ１の切替の前に位置した基地局→目標基地局であり、目標ノードは他の１つの基地局に付けられるＲＳである場合は、ネットワーク側データノード→ＲＳ１の切替の前に位置した基地局→目標ＲＳの所属する基地局→目標ＲＳであり、
第二種：目標ノードは他の１つの基地局である場合は、ネットワーク側データノード→目標基地局であり、目標ノードは他の１つの基地局に付けられるＲＳである場合は、ネットワーク側データノード→目標ＲＳの所属する基地局→目標ＲＳであり、
第三種：ネットワーク側データノード→ＲＳ１の切替の前にアクセスしたＢＳ→ＲＳ１の切替の前にアクセスしたＲＳ→目標ＲＳ或いは目標ＢＳであることを特徴とする請求項１０に記載の方法。
【請求項１２】
前記目標ノードは、同一の無線伝送ネットワークグループに所属する場合、以下の方式のうちの１つに従い、前記目標ノードへのデータチャンネルを設立し、
第一種：ネットワーク側データノード→ＲＳ１の位置する基地局→目標ＲＳであり、
第二種：ネットワーク側データノード→ＲＳ１の切替の前にアクセスしたＲＳ→目標ＲＳであることを特徴とする請求項１０に記載の方法。
【請求項１３】
ステップ（ｂ）において、ＲＳ１を目標ノードに接続更新するように指示する前に、ＲＳ１にはデータ伝送がある場合、既存の接続を保留すると共に、ＲＳの切替の前に所属した基地局、或いは所属した伝送サブ網における代理ノードとしてのＲＳ、或いはネットワーク側は、ＲＳ１及びそれに付けられるＲＳ及び端末の属性を、目標ノードの所属するＢＳ、或いは所属する伝送サブ網における代理ノードとしてのＲＳへ送信し、アクセスの時のために使用されることを特徴とする請求項１、３、５のなかのいずれか１つに記載の方法。
【請求項１４】
無線中継局或いは端末は、予め、可能な隣接基地局或いは隣接ＲＳと同期して、これらの同期情報を記憶し、ステップ（ｂ）において、前記ＲＳ１に付けられる無線中継局及び端末は、接続更新の指示を受信した後、自身の記憶した隣接基地局及び隣接ＲＳの同期情報から、指示された目標ノードの同期情報を探し出し、目標ノードと同期して無線ネットワーク接続を設立することを特徴とする請求項１、３、５のなかのいずれか１つに記載の方法。
【請求項１５】
前記管理ノードは基地局であることを特徴とする請求項１に記載の自適応管理方法。
【発明の詳細な説明】
【技術分野】
【０００１】
本発明は、基地局と無線中継局とを含む無線伝送ネットワークに関し、特に、当該無線伝送ネットワークにおける無線中継局の接続関係更新の方法に関する。
【背景技術】
【０００２】
現在、複数の種類の無線通信システムが存在し、これらのシステムの１つの共通点は、局の設立が複雑であり、基地局は有線のサポートが必要であり、基地局のカバーは相対的に固定であることにある。無線通信環境の複雑性、例えば伝送経路における建物の遮蔽や、基地局とユーザの受信アンテナ及び発信アンテナとの間には障害物があることなどを起因として、ユーザは基地局のサービスの受信不良域に位置する。そして、ユーザは、基地局のカバーするセルに位置するが、基地局との間には通常の通信を維持することができず、ユーザの通信品質の著しい降下が起こり、ひいては、ユーザはシステムにアクセスすることすらできない。セルのエッジに位置するユーザにとって、信号は長い経路の伝送を経由するため、信号の減衰が酷く、ユーザと基地局との間における通信品質とサービス品質に悪い影響を与える。例えば、セルのエッジに位置するユーザが基地局の信号を通常に受信することを確保するために、低いレベルの符号化変調方式しかを利用することができず、そして、ユーザのデータレートを降下させた。ユーザのデータレートを確保するために高いレベルの符号化変調方式を利用する場合、基地局とユーザとの発信パワーを増加する必要があり、セルにおける他のユーザ及び隣接のセルのユーザには干渉を与える。また、アプリケーションの発展に従い、これらの無線アクセスシステムは、ランダム突発の無線アクセス要求、及び有線の届かないエリアのカバーを適切に実現することができない。
【０００３】
従って、基地局サービスエリアのカバーを広げること、及びセルのエッジのユーザのサービス品質を改善することのために、現在、複数の種類の中継システムが既に存在し、即ち、中継局により基地局とユーザとの間における通信を完成する。
【０００４】
比較的に早く開発された中継システムはアナログ中継システムである。中継局は、信号を受信した後、デジタル部分の処理を行わず、受信された信号に対するアナログ増幅のみを行い、そして、ユーザ或いは基地局或いは次の中継局に送信する。この中継方法は簡単であるが、明らかな欠点があり、有効な信号のほか、中継局の受信したバンド内の干渉信号も増幅されて、送信経路に伝送し続ける。そして、中継局を経由した後、有用信号の信頼性が降下する。
【０００５】
技術の発展に従い、デジタル中継システムは進化しつつある。当該システムは、受信された信号に対し、復調復号を行い、ソース信号を復元し、一定の記憶と処理を行ってから、符号化変調して、ユーザ或いは基地局或いは次の中継局に送信することができる。この中継方法は、アナログ信号のノイズ伝送を防ぎ、伝送の信頼性を向上させた。
【０００６】
一般的には、無線システムが高いレートの無線データ伝送のために提供したのは、ポイントから複数のポイントまでのネットワークトポロジー構成である。当該無線システムにおける基地局のサービス受信不良域及びセルのエッジのユーザの通信品質の問題を解決するために、無線中継局という概念は無線ネットワークに導入されたが、無線中継局自身には固定性、ノーマディック（roaming）性及び移動性を有し、無線ネットワーク全体のアクティブな構築及び調整等の管理に対して新しい挑戦を与えた。
【発明の概要】
【発明が解決しようとする課題】
【０００７】
しかしながら、このような無線中継局の導入は、無線ネットワークの管理を非常に複雑にさせた。従来の中継局の設立や、メンテナンス、最適化などは人工で行うものであり、実際の応用においては手間が非常にかかる。デジタル中継局は、ベースバンドの処理を自力で行うことができ、ある程度の制御及びリソーススゲジュリング機能を有し、また、アクセスする基地局或いは無線中継局を選択することもできる。これらの特徴は、無線中継局の自配置及び自最適化に対して基礎を与えた。
【０００８】
有線ＩＰネットワークにおいて、ルートテーブルは、ルートゲートウェイによる最適経路の選択をサポートし、ルートを最適化することができ、ルートゲートウェイは、ルートテーブルをダイナミックにメンテナンスすることが必要である。しかし、このような方式は無線伝送ネットワークには適用することができない。主に、以下の原因がある。
【０００９】
無線伝送ネットワークの各ノードは、無線環境に状況があることを起因として、無線リンクの更新が起こることが可能である。これは、有線ネットワークにおける固定な接続とは異なる。
【００１０】
無線伝送ネットワークにおける無線リンクの信頼性は有線ネットワークとは異なる。
【００１１】
無線伝送ネットワークにおける無線リンク毎は無線リソースを占めることが必要であり、無線リンクは設立されると、既に無線リソースを占めることになる。
【００１２】
前述の問題に基づき、無線伝送ネットワークにおいて無線中継局の自配置や自最適化を行うことには、解決案を考え直すことが必要である。
【００１３】
また、このような無線伝送ネットワークに対し、無線中継局は、無線伝送ネットワークグループへの加入をどのように実現するか、接続関係の更新をどのように実現するか、接続関係の終止をどのように実現するか等の問題に関し、従来の技術において、適切な解決案は未だに提案されていない。
【課題を解決するための手段】
【００１４】
前記の技術課題を解決するために、本発明は、無線中継局の接続関係更新の方法を提供する。
【００１５】
前記の技術課題を解決するために、本発明は、無線中継局の接続関係更新の方法を提供し、当該方法は、（ａ）ある無線中継局ＲＳ１は、１つの基地局及びそれに所属する無線中継局を含む無線伝送ネットワークグループに既に接続され、ＲＳ１の接続関係の変更が必要であると判断する場合、目標ノードを選択し、（ｂ）ＲＳ１を目標ノードへ接続更新するように指示し、ＲＳ１は、当該指示を受信した後、接続更新を起動し、新たなノードとの無線リンクを設立して、既存のデータチャンネルにおける、もう使用することのないリソースをリリースするステップを含む。
【００１６】
さらに、前記方法では、
無線伝送ネットワークグループにおける管理ノードは、本グループのトポロジー関係情報を記憶しており、ステップ（ｂ）の後、（ｃ）ＲＳ１の接続関係更新の前後に所属する伝送グループの管理ノードは、記憶された本伝送グループの無線ネットワークトポロジー情報を更新するステップをさらに含み、
或いは、無線伝送ネットワークグループにおける管理ノードは、本グループのトポロジー関係情報を記憶しており、ＲＳ１の更新の前後に伝送サブ網にアクセスし、且つ、前記伝送サブ網の代理ノードは本伝送サブ網の無線ネットワークトポロジー情報を記憶しており、ステップ（ｂ）の後、ＲＳ１の接続関係更新の前後に所属する伝送グループの管理ノードは、それに記憶された本伝送グループの無線ネットワークトポロジー情報を更新すると共に、ＲＳ１の更新の前後に位置する伝送サブ網の代理ノードは、それに記憶された伝送サブ網の無線ネットワークトポロジー情報を更新するステップをさらに含むことを特徴としてさらに備えてもよい。
【００１７】
さらに、前記方法では、
ステップ（ａ）において、ＲＳ１の接続関係を変更するか否かは、ＲＳ１の位置する伝送グループの基地局ＢＳにより、記憶された情報及び設定された方針に基づいて判断し、ステップ（ｂ）において、当該ＢＳは、前記目標ノードに接続更新する指示を、ＲＳ１に送信し、
或いは、ステップ（ａ）において、ＲＳ１の接続関係を変更するか否かは、ＲＳ１の位置する伝送サブ網の代理ノードＲＳにより、記憶された情報及び設定された方針に基づいて判断し、ステップ（ｂ）において、前記代理ノードとしてのＲＳは、前記目標ノードに接続更新する指示を、ＲＳ１に送信することを特徴としてさらに備えてもよい。
【００１８】
さらに、前記方法では、
ステップ（ａ）において、ＲＳ１の接続関係を変更するか否かは、ＲＳ１の位置する伝送サブ網の代理ノードＲＳ、或いは位置する伝送グループの基地局ＢＳにより、記憶された情報及び設定された方針に基づいて判断し、カバーの要求と、負荷バランスの要求と、スループットの向上の要求と、サービス品質の向上の要求と、オペレーターのネットワーク管理の要求とのトリガー方式のうちの１種或いは任意の組合せを有することを特徴としてさらに備えてもよい。
【００１９】
さらに、前記方法では、
ステップ（ａ）において、ＲＳ１の接続関係を変更するか否かは、ＲＳ１自身により、記憶された情報及び設定された方針に基づいて判断し、ＲＳ１は、目標ノードを選択した後、本無線伝送ネットワークグループのＢＳ、或いは位置する伝送サブ網における代理ノードとしてのＲＳに、切替リクエストを自発的に送信し、前記ＢＳ或いはＲＳは、当該切替リクエストを受信した後、切替可能だと判断する場合、本ＢＳの選択する目標ノードを確認し、そうでなければ、切替リクエストを拒否することを特徴としてさらに備えてもよい。
【００２０】
さらに、前記方法では、
前記ＢＳ或いは代理ノードＲＳは、ＲＳ１の切替リクエストを受信した後、ＲＳ１の選択した目標ノードを、本ＢＳ或いは代理ノードＲＳの選択する目標ノードとし、或いは、ＲＳ１から提供された情報と、自身の記憶された情報及び設定された方針とに基づき、ＲＳ１の選択した目標ノードから、一部のノードを、本ＢＳ或いは代理ノードＲＳの選択する目標ノードとして選択し、或いは、ＲＳ１から提供された情報と、自身の記憶された情報及び設定された方針とに基づき、ＲＳ１のために、新たな目標ノードを再選択することを特徴としてさらに備えてもよい。
さらに、前記方法では、
ステップ（ａ）において、前記無線中継局が接続関係の更新を自発的にリクエストするトリガー方式は、よりよい無線信号の発見と、よりよい無線リソースを獲得する要求と、よりよいサービス品質を請求する要求と、ネットワーク管理要求とのトリガー方式のうちの１種或いは多種を含むことを特徴としてさらに備えてもよい。
【００２１】
さらに、前記方法では、
ステップ（ａ）において、ＲＳ１の接続関係を変更するか否かの判断、及び目標ノードの選択には根拠としての情報は、本グループのネットワークトポロジー関係情報、本グループの無線リンク状況情報、隣接無線伝送ネットワークグループのネットワークトポロジー関係情報、隣接無線伝送ネットワークグループの無線リンク状況情報、ＲＳ１により計測された隣接セル情報のうちの１種或いは多種を含むことを特徴としてさらに備えてもよい。
【００２２】
さらに、前記方法では、
ステップ（ａ）において、前記ＢＳ、或いは代理ノードとしてのＲＳは、目標ノードを選択した後、まず、切替リクエストを目標ノードに送信し、目標ノードの切替許可の応答を得た後、ステップ（ｂ）において、接続更新するようにＲＳ１を指示することを特徴としてさらに備えてもよい。
【００２３】
さらに、前記方法では、
ステップ（ｂ）において、ＲＳ１にはデータ伝送がある場合、既存の接続を保留すると共に、ＲＳ１の位置する伝送サブ網の代理ノードＲＳ、或いは位置する伝送グループの基地局ＢＳは、ＲＳのために、目標ノードへのデータチャンネルを設立して、当該データチャンネルでＲＳ１のダウンリンクデータを送信してから、目標ノードに接続更新するようにＲＳ１を指示することを特徴としてさらに備えてもよい。
【００２４】
さらに、前記方法では、
前記目標ノードは、他の１つの無線伝送ネットワークグループに所属する場合、以下の方式のうちの１つに従い、前記目標ノードへのデータチャンネルを設立し、
第一種：目標ノードは他の１つの基地局である場合は、ネットワーク側データノード→ＲＳ１の切替の前に位置した基地局→目標基地局であり、目標ノードは他の１つの基地局に付けられるＲＳである場合は、ネットワーク側データノード→ＲＳ１の切替の前に位置した基地局→目標ＲＳの所属する基地局→目標ＲＳであり、
第二種：目標ノードは他の１つの基地局である場合は、ネットワーク側データノード→目標基地局であり、目標ノードは他の１つの基地局に付けられるＲＳである場合は、ネットワーク側データノード→目標ＲＳの所属する基地局→目標ＲＳであり、
第三種：ネットワーク側データノード→ＲＳ１の切替の前にアクセスしたＢＳ→ＲＳ１の切替の前にアクセスしたＲＳ→目標ＲＳ或いは目標ＢＳであることを特徴としてさらに備えてもよい。
【００２５】
さらに、前記方法では、
前記目標ノードは、同一の無線伝送ネットワークグループに所属する場合、以下の方式のうちの１つに従い、前記目標ノードへのデータチャンネルを設立し、
第一種：ネットワーク側データノード→ＲＳ１の位置する基地局→目標ＲＳであり、
第二種：ネットワーク側データノード→ＲＳ１の切替の前にアクセスしたＲＳ→目標ＲＳであることを特徴としてさらに備えてもよい。
【００２６】
さらに、前記方法では、
ステップ（ｂ）において、目標ノードに接続更新するようにＲＳ１を指示する前に、ＲＳ１にはデータ伝送がある場合、既存の接続を保留すると共に、ＲＳの切替の前に所属した基地局、或いは所属した伝送サブ網における代理ノードとしてのＲＳ、或いはネットワーク側は、ＲＳ１及びそれに付けられるＲＳ及び端末の属性を、目標ノードの所属するＢＳ、或いは所属する伝送サブ網における代理ノードとしてのＲＳへ送信し、アクセスの時のために使用されることを特徴としてさらに備えてもよい。
【００２７】
さらに、前記方法では、
ＲＳ或いは端末は、予め、可能な隣接基地局或いは隣接ＲＳと同期して、これらの同期情報を記憶し、ステップ（ｂ）において、前記付けられるＲＳ及び端末は、接続更新の指示を受信した後、自身の記憶した隣接基地局及び隣接ＲＳの同期情報から、指示された目標ノードの同期情報を探し出し、目標ノードと同期して無線ネットワーク接続を設立することを特徴としてさらに備えてもよい。
【００２８】
さらに、前記方法では、前記管理ノードは基地局であることを特徴としてさらに備えてもよい。
【発明の効果】
【００２９】
本発明に係る方法によれば、無線通信システムにおいて、無線中継局接続関係の更新を実現することができると共に、トポロジー関係の設立と更新により、無線中継局と基地局とのトポロジー関係やリソース配置などに対するインテリジェントな調整を行い、無線伝送ネットワークのサービス品質及びリソース利用効率を効率的に向上させることができる。更新の過程には、目標ノードへのデータチャンネルを設立し、更新しようとする無線中継局及びそれに付けられる端末及び無線中継局の属性情報を送信し、隣接ノードの同期情報を予め記憶するなどの方法により、接続関係の変更の時のサービスの中断時間をできる限り低減し、サービスの品質を向上させることができる。
【図面の簡単な説明】
【００３０】
【図１】図１は本発明方案における無線中継通信システムのネットワーク構築図である。
【図２】図２〜図５は本発明の無線伝送ネットワークの自適応管理方法の４つの例である。
【図３】図２〜図５は本発明の無線伝送ネットワークの自適応管理方法の４つの例である。
【図４】図２〜図５は本発明の無線伝送ネットワークの自適応管理方法の４つの例である。
【図５】図２〜図５は本発明の無線伝送ネットワークの自適応管理方法の４つの例である。
【図６】図６〜図１０は本発明のＲＳが無線伝送ネットワークグループに加入する方法の５つの例である。
【図７】図６〜図１０は本発明のＲＳが無線伝送ネットワークグループに加入する方法の５つの例である。
【図８】図６〜図１０は本発明のＲＳが無線伝送ネットワークグループに加入する方法の５つの例である。
【図９】図６〜図１０は本発明のＲＳが無線伝送ネットワークグループに加入する方法の５つの例である。
【図１０】図６〜図１０は本発明のＲＳが無線伝送ネットワークグループに加入する方法の５つの例である。
【図１１】図１１〜図１２は本発明のＲＳの接続関係更新の方法の２つの例である。
【図１２】図１１〜図１２は本発明のＲＳの接続関係更新の方法の２つの例である。
【発明を実施するための形態】
【００３１】
以下は、図面と具体的な方案を合わせて、本発明について詳しく説明する。
本方案の無線中継のインテリジェントな構築が適用する無線通信システムは図１に示すように、以下のいくつかの部分を含む。
【００３２】
１）少なくとも１つの基地局：当該基地局は、同期信号と制御情報を送信し、端末と中継局のアクセスと制御に利用され、基地局は、端末と通信を直接に行ってもよく、中継局により端末と通信を行ってもよい。
【００３３】
２）少なくとも１つの第１ジャンプ中継局（ＲＳ）：当該中継局は、１つの基地局に直接にアクセスし、基地局と無線中継局は同期信号と制御情報を送信し、端末と他の中継局のアクセスと制御に利用される。
【００３４】
３）中継局により基地局と通信を行う少なくとも１つの端末。
【００３５】
４）複数のジャンプの中継局を含むことが可能である。
【００３６】
５）基地局と通信を直接に行う端末を１つ含むことが可能である。
【００３７】
図に示すように、基地局毎は１つ或いは複数の無線中継局を付けることが可能であり、無線中継局毎も必要に応じて無線中継局をさらに付けることが可能であり、即ちＢＳ→ＲＳ→ＲＳであり、例えば、図におけるＲＳ２１は、２ジャンプ目の無線中継局である。ネットワークカバーを高めるためのＲＳ例えばＲＳ１もあれば、スループットを高めるＲＳ例えばＲＳ２もある。端末は、複数の基地局や無線中継局の信号を同時に受信することができる。
【００３８】
したがって、本発明において、ＢＳ及びそれに所属するＲＳ（即ち、当該ＢＳに直接或いは間接的にアクセスするＲＳ）を含むグループを１つの無線伝送ネットワークグループという。１つの基地局には、１つの無線伝送ネットワークグループのみがあり、異なる基地局は、異なる無線伝送ネットワークグループに所属する。
【００３９】
以下、無線伝送ネットワークの自適応管理方法の幾つの具体的な実施形態について説明する。
【００４０】
第１の方案
本方案において、図２に示すように、以下のステップを含む。
【００４１】
ステップ１１：無線伝送ネットワークグループにおける管理ノードは、本グループの無線ネットワークトポロジー情報構成を設立し、
本方案における無線ネットワークトポロジー情報構成は、無線伝送ネットワークグループにおける無線リンクの２つの端ノード情報を含み、端ノードは、基地局標記（ＢＳＩＤ）と無線中継局標記（ＲＳＩＤ）で示すことができる。
【００４２】
前記情報は、１つの基本関係マトリックスで説明することができ、当該マトリックスにおいて、当該無線伝送ネットワークグループにおけるいずれかの２つのノードの接続関係が説明され、接続があるかどうかの情報を含み、接続がある場合にはジャンプ数の情報をさらに含む。
【００４３】
図１を例として、左の基地局の位置する無線伝送ネットワークグループの関係マトリックスは以下のようである。
【００４４】
【表１】
2010524368.tif 000003
【００４５】
同じように、図１の右の基地局の位置する無線伝送ネットワークグループの関係マトリックスは以下のようである。
【００４６】
【表２】
2010524368.tif 000004
【００４７】
ここで、１行目と１列目とは本無線伝送ネットワークグループ内における全てのノードの番号である。「０」は、これらの２つのノードの間に無線リンクは存在しないことを示す。「１」は、これらの２つのノードの間に直接な無線リンクが存在することを示し、２行目３列目の値「１」を例として、これは、ＲＳ１とＢＳとの間に直接な無線接続が存在することを示す。「２」は、これらの２つのノードの間に２つの無線リンクで接続されていることを示す。２行目５列目の値「２」を例として、これは、ＲＳ２１とＢＳとの間に２つの無線リンクで接続されていることを示し、即ち、ＲＳ２１は１つの無線中継により基地局ＢＳと接することである。
【００４８】
従って、当該関係マトリックスにおいて、「１」は１つの無線リンクに対応し、それに対応する１行目と１列目におけるノードは当該無線リンクの２つの端ノードである。また、当該関係マトリックスから、２つのノードの間のジャンプ数情報を直接に得ることができる。
【００４９】
管理機能を備えるノードの設置には、いくつかの選択可能な方式がある。
【００５０】
第一種：集中制御の方式を利用し、一般的には、基地局を唯一の管理ノードとして、本グループの無線ネットワークトポロジー情報構成を設立し、情報の更新と伝送を行う。しかし、特別な状況において、あるＲＳを管理ノードとして指定する可能性もある。
【００５１】
第二種：分布式制御の方式を利用し、基地局は管理ノードとして、本グループの無線ネットワークトポロジー情報構成を設立し、情報の更新と伝送を行う。また、無線中継局が代理ノードとして自身に所属する無線伝送サブ網を管理することができ、無線伝送サブ網のノードは、代理ノード、及び当該代理ノードによりＢＳにアクセスする１つ或いは複数のＲＳを含み、例えば、左側のＲＳ２は、代理ノードとしてＲＳ２１を管理することができる。
【００５２】
代理ノードは、本サブ網の無線ネットワークトポロジー情報構成を設立し、サブ網内における当該情報の更新と伝送を行うとともに、本サブ網の無線ネットワークトポロジー情報を基地局に伝送し、基地局により無線伝送ネットワークグループ全体の更新を行う必要がある。
【００５３】
この場合、代理ノードであるＲＳの設立したサブ網の無線ネットワークトポロジー情報構成は、基地局の設立した前記構成は基本的に同じであり、即ち、無線伝送サブ網における無線リンクの２つの端ノードの情報を含み、さらに、２つのノードの間のジャンプ数情報を含んでもよい。当該構成は、前記基本関係マトリックスと同じ方式で説明することができる。
【００５４】
例えば、ＲＳ１は、ＲＳ１１中継局が付けられるノードとして、このような関係マトリックスを自力で管理することができる。
【００５５】
【表３】
2010524368.tif 000005
【００５６】
当該基本関係マトリックスにおける情報の解読は既に前文に説明され、省略する。
【００５７】
ステップ１２：管理ノードは、無線伝送ネットワークグループのネットワークトポロジー関係に変更がある時、本グループの無線ネットワークトポロジー情報を更新し、
新たなＲＳの加入、既存のＲＳの切替、既存のＲＳの接続終止などの状況（ＲＳの切替と終止は管理ノードにより自発で発してもよく、ＲＳにより自発で発してもよい）は、無線伝送ネットワークグループのネットワークトポロジー関係の変更を起こすことが可能である。これらの過程は、一般的には管理ノードの参加が必要であるので、管理ノードは、対応なシグナリングに基づき、ネットワークトポロジー関係の変更状況を獲得することができる。これらの変更は、代理ノードの管理する無線伝送サブ網において完成されたものである場合、代理ノードは、本無線伝送サブ網の更新後のトポロジー関係を管理ノードに報告すべきであり、従って、管理ノードは無線伝送ネットワークグループにおける元の無線ネットワークトポロジー情報を更新することができる。
【００５８】
ステップ１３：管理ノードは、本グループの無線ネットワークトポロジー情報及び対応な方針により、それに所属するＲＳ或いはＭＳに対して管理を行う。
【００５９】
１つの例として、ＲＳ或いは端末はグループ内の１つのＲＳから他の１つのＲＳに切り替えることをリクエストする時に、基地局は、ネットワークトポロジー関係に基づき、切り替え先となる目標ＲＳのジャンプ数を判断することができ、所定のジャンプ数閾値、例えば２ジャンプを超えると、このリクエストを拒否、或いはこれのために他の１つの目標ノードを選択することができる。これは、アクセスした後に時延が過大になることを防ぐことができる。しかし、本発明は、このような管理の具体的な方式に限られるものではなく、実際上、配置やスケジューリング、切替などの管理上にはいくつの応用ができる。
【００６０】
第２の方案
本方案において、図３に示すように、無線伝送ネットワークの自適応管理方法は以下のステップを含む。
【００６１】
ステップ２０：無線伝送ネットワークグループにおける管理ノードは、本グループの無線ネットワークトポロジー情報構成を設立し、
ステップ２１：管理ノードは、無線伝送ネットワークグループのネットワークトポロジー関係に変更がある時、本グループの無線ネットワークトポロジー情報を更新し、
以上の２つのステップは第１の方案と同じである。
【００６２】
ステップ２２：管理ノードは、本グループの無線ネットワークトポロジー情報を、本グループのＲＳ及び/或いは本グループのカバーする範囲内のＭＳに伝送し、
本方案において、管理ノードは、本グループの無線ネットワークトポロジー情報を本グループの全てのＲＳに伝送するが、他の場合は、これらの一部のＲＳ、例えば、代理ノードであるＲＳ或いは１ジャンプ目のＲＳのみに伝送してもよい。
【００６３】
無線トポロジー関係テーブルの伝送は、以下のいくつの方式が可能である。Ａ：従来のダウンリンクデータ指示メッセージにおいて１種の配置指示情報ユニットを増え、たとえば無線ネットワークトポロジー情報や無線リンク状況情報などの無線ネットワーク配置情報データの位置、サイズなどの情報を指示することに利用される。Ｂ：配置指示メッセージを直接に使用し、無線ネットワークトポロジー情報や無線リンク状況情報などの配置情報を運ぶ。これらの配置情報は、ブロードキャストの方式で伝送グループ内の各ノードに発信することができる。伝送グループ内の各ノードは、無線ネットワークの配置情報を自発的にリクエストしてもよい。
【００６４】
代理ノードであるＲＳは、位置する無線伝送サブ網の無線ネットワークトポロジー情報構成を設立することもできる。従って、本発明では、ＲＳにおいては、無線伝送ネットワークグループ全体のトポロジー情報を有することが可能であり、位置する無線伝送サブ網のトポロジー情報を有することも可能であり、いずれのトポロジー情報も有していないことも可能である。
【００６５】
情報を伝送する時に、管理ノードは、ＲＳとＭＳがより多い無線伝送ネットワーク情報を獲得するように、本グループの無線ネットワークトポロジー情報をブロードキャストチャンネルでブロードキャストすることもできる。無線伝送ネグループ内のノードは、無線リンクトポロジー情報を獲得することを管理ノードに請求することもでき、管理ノードは、請求内容に基づき、対応な無線リンクトポロジー情報を提供する。
【００６６】
ステップ２３：管理ノード、及び無線ネットワークトポロジー情報を獲得したＲＳ及び/或いはＭＳは、無線ネットワークトポロジー情報と対応な方針により、無線伝送グループの接続最適化を行う。
【００６７】
１つの例として、ＲＳは、無線伝送ネットワークグループ全体或いはそれに所属する伝送サブ網のネットワークトポロジー情報に基づき、新たなＲＳのアクセスを制御することができ、例えば、２ジャンプ目に位置するＲＳは新たなＲＳのアクセス要求を受信する時に、このアクセスを拒否することができる。
【００６８】
もう１つの例として、ＭＳは、ブロードキャストメッセージからネットワークトポロジー情報を獲得ことができる場合、当該情報に基づき、切替可能な候補ＲＳのジャンプ数を判断することができる。３ジャンプ目のＲＳである場合、その信号が一番強くてもアクセスせず、２ジャンプ目以上のＲＳ或いはＢＳのうちから、信号の一番強いノードを選択して切替を行う、
同じように、本発明において、このような管理の具体的な方式に限られない。
【００６９】
第１の方案と第２の方案における２つの管理方式を同時に使用することができることは明らかである。即ち、第１の方案において、第２の方案のステッ２２とステップ２３の操作を行うことも可能である。
【００７０】
第３の方案
本方案において、無線ネットワークトポロジー情報を設立、更新する上で、それにおける無線リンクのリンク状況情報に対する検知、記録及び更新を行い、無線リンク状況に基づき、より広い且つ効率的な管理を行う。
【００７１】
本方案は、図４に示すように、以下のステップを含む。
【００７２】
ステップ３０：無線伝送ネットワークグループにおける管理ノードは、本グループの無線ネットワークトポロジー情報構成を設立して、無線リンク状況情報を検知及び記録し、
無線リンク状況情報は、キャリア干渉比（Carrier-to-Interference ratio）/キャリアノイズ比（carrier-to-noise ratio）（ＣＩＮＲ）や、無線リンクパケットロスト/パケットエラーレート、無線リンクの処理と伝送遅延、無線リンク毎の実際スループット、無線リンク配置のリソースなどを含むことができ、これらの１つのパラメーター或いは任意の組合を利用してもよく、他のパラメーターを利用してもよい。
【００７３】
無線リンク状況情報は、以下の２つの方式で獲得することができる。
【００７４】
１）サービス信号に対する検知結果に基づき獲得し、管理ノード（普通は基地局である）に直接に接続された無線リンクに対し、管理ノードは、アップリンク状況の関係パラメーターを検知して、ダウンリンク状況の関係パラメーターを報告するように対向の端（the other node）ノードに要求する（定期報告或いは事件トリガー報告などの方式を利用することができる）ことができ、他のノードの間のリンク状況に対し、これらの１ジャンプ上のノードにより同じ方法で獲得して管理ノードに報告する。
【００７５】
２）検知信号に対する計測結果に基づき獲得し、管理ノード（普通は基地局である）により、１回或いは１連のテスト信号を外部に送信するように、トポロジーにおけるいずれか１つ或いは複数のノードを指定するとともに、テストを合わせてテスト結果を、信号を送信したノードに返信し、或いは管理ノードに直接に送信するように、他のノードに指示する。信号を送信したノード或いは管理ノードは、検知結果に基づき、関係無線リンクの状況情報を獲得し、信号を送信したノードは管理ノードではない場合、更新された無線リンク状況情報を管理ノードに報告する必要がある。
【００７６】
この場合は、複数の検知の方式が可能であり、例えば、新たなＲＳの初期アクセスの後に、管理ノードにより、テスト信号を送信するように当該ＲＳを指定し、テストを合わせてテスト結果（例えば、ＲＳの信号受信強度やＳＮＲなどをテストする）を基地局に返信するように他のＲＳに指示し、管理ノードは、関係リンクの状況を分析して獲得して、トポロジー関係及びこれらの無線リンクの状況に基づき、当該ＲＳのアクセスノードに対する調整が必要であるかどうかを判断することができる。
【００７７】
もう１つの可能な方式は、ネットワークには比較的に余裕である時に、管理ノードは、基地局と、ＲＳがアクセスされる全てのＲＳとにより、前記テスト信号を送信することを選び、テストを合わせてテスト結果を返信するように、トポロジー関係における対向の端ノードを指定する。これにより、トポロジーにおける無線リンク毎の状況をテストすることが確保できる。管理ノードは、テスト結果に基づき、無線伝送ネットワークグループにおける無線リンク状況情報を分析して更新し、現在の無線ネットワークトポロジー情報と新たな無線リンク状況情報に基づき、無線伝送ネットワーク接続関係の調整を行う。
【００７８】
ステップ３１：管理ノードは、無線伝送ネットワークグループのネットワークトポロジー関係に変更がある時、本グループの無線ネットワークトポロジー情報を更新し、また、無線伝送ネットワークグループ内の無線リンク状況情報の変更を検知した時に、元の無線リンク状況情報を更新し、
ネットワークトポロジー関係の更新と無線リンクの状況情報の更新過程とは、互いに独立してもよい。無線リンク状況情報の更新は同様に、前文における２つの方式を元にしてもよく、即ち、サービス信号に対する検知結果に基づき、無線リンク状況情報を獲得した後に更新を行い、或いは、検知信号に対する計測結果に基づき、無線リンク状況情報を獲得した後に更新を行う。
【００７９】
ステップ３２：管理ノードは、本グループの無線ネットワークトポロジー情報と無線リンク状況情報と対応な方針とを利用して、それに所属するＲＳと/或いはＭＳに対して管理を行う。
【００８０】
本方案では、管理ノードは無線リンク状況情報を獲得したので、より適切な且つインテリジェントな管理を行うことができる。以下はいくつの例を挙げて説明する。
【００８１】
基地局は、１回の検知を行う後に、１ジャンプ目のあるＲＳにはサービスが過忙であることを発見する時に、その下の２ジャンプ目のＲＳを他の１つの１ジャンプ目のＲＳに切り替えることを指示することができ、即ち、負担のバランスの操作を自適応に行うことができる。
【００８２】
ＲＳは１ジャンプ目のあるＲＳに初期アクセスする時に、一般的には、信号強度の一番強いＲＳを選択してアクセスしたが、このときに、基地局は、当該１ジャンプ目のＲＳと基地局との間のリンク状況が非常に悪いこと、例えば過忙であることを発見すると、当該ＲＳを他のＲＳに切り替えさせることができ、そのＲＳは、信号が一番強いわけでもないかもしれないが、経路全体におけるリンクの品質はもっとよい。
【００８３】
１つのＲＳは切替が必要である時に、基地局、あるいは代理ノードであるＲＳは、無線ネットワークトポロジー情報と無線リンク状況情報とに基づき、経路上の複数の無線リンク状況に基づき重み演算を行い、ＲＳのためにサービス品質（ＱｏＳ）の一番よい目標ノードを選択する。
【００８４】
第４の方案
本方案において、図５に示すように、無線伝送ネットワークの自適応管理方法は以下のステップを含む。
【００８５】
ステップ４０：無線伝送ネットワークグループにおける管理ノードは、本グループの無線ネットワークトポロジー情報構成を設立して、無線リンク状況情報を検知及び記録し、
ステップ４１：管理ノードは、無線伝送ネットワークグループのネットワークトポロジー関係に変更がある時、本グループの無線ネットワークトポロジー情報を更新し、また、無線伝送ネットワークグループ内の無線リンク状況情報の変更を検知した時に、元の無線リンク状況情報を更新し、
前記２つのステップは第３の方案と同じである。
【００８６】
ステップ４２：管理ノードは、本グループの無線ネットワークトポロジー情報と無線リンク状況情報を、本グループのＲＳ及び/或いは本グループのカバー範囲におけるＭＳに伝送する。
【００８７】
管理ノードは、本グループの無線ネットワークトポロジー情報及び無線リンク状況情報を本グループの全てのＲＳに伝送してもよく、これらの一部のＲＳ、例えば１ジャンプ目のＲＳ、或いはＲＳがアクセスされるＲＳのみに伝送してもよい。管理ノードは、本グループの無線ネットワークトポロジー情報及び無線リンク状況情報をブロードキャストチャンネルでブロードキャストしてもよく、ＭＳは、アクセスする前にこれらの情報を受信することができる。また、無線伝送グループ内のノードは、無線リンク状況情報を獲得することを管理ノードに請求することもでき、管理ノードは、請求内容に基づき、対応な無線リンク状況情報を提供する。
【００８８】
ステップ４３：無線ネットワークトポロジー情報と無線リンク状況情報を獲得したＲＳ及び/或いはＭＳは、無線ネットワークトポロジー情報と無線リンク状況情報と対応な方針とを利用して、無線伝送グループの接続最適化を行う。
【００８９】
ここで、ＲＳは新たなＲＳ或いはＭＳのアクセスを制御する時に、ジャンプ数のほかに、関係の無線リンク状況を考慮要素としてもよい。これにより、制御をより適切に行うことができ、第３の方案を参考してもよい。無論、無線リンクの更新も同じであり、ジャンプ数と無線リンク状況を同時に考えて目標ノードを選択することができる。
【００９０】
第３の方案と第４の方案における２つの管理方式を同時に使用することができることは明らかである。即ち、第３の方案において、第４の方案のステップ４２とステップ４３の操作を行うことも可能である。
【００９１】
また、前記いずれかの方案においても、隣接の無線伝送ネットワークの管理ノードの間には、それぞれが位置する無線伝送ネットワークグループの無線ネットワークトポロジー情報と無線リンク情報を交互することができ、ＲＳの切替のプロセスに隣接セルのノードを検知する場合、基地局は、当該隣接セルのノードの位置する無線伝送ネットワークグループのトポロジー情報と無線リンク状況情報に基づき、目標ノードとして、サービス品質要求を満たすノードをより確実に選択することができる。
【００９２】
管理ノードの間の交互方式は、以下のいくつの場合が可能である。
【００９３】
１）管理ノードは、本無線伝送ネットワークグループのトポロジー関係（無線リンク状況情報を含むことが可能である）には更新がある時に、隣接基地局に自発的に通知する。
【００９４】
２）管理ノードは、隣接セルの管理ノードに対し、当該隣接セルの無線ネットワークトポロジー情報（無線リンク状況情報をさらに含むことが可能である）を提供することを自発的にリクエストする。
【００９５】
管理ノードは、隣接セルの無線ネットワークトポロジー情報と無線リンク状況情報を本グループの全部或いは一部のＲＳにさらに伝送してもよく、これらのＲＳは切替の時に隣接セルの信号を検知する場合にも、目標ノードとして、サービス品質要求を満たすノードをより確実に選択することができる。
【００９６】
以下、本発明の無線中継局ＲＳは伝送ネットワークグループに加入する具体的な実施形態について説明する。
【００９７】
当該過程は、以下のいくつの方案により実現することができる。
【００９８】
第１の方案
当該実施例において、デバイスのアクセスの後に、自身の獲得したトポロジー関係情報と無線リンク状況情報に基づき切替を行い、切替の後に、無線伝送ネットワークグループのトポロジー関係の更新を完成し、加入過程を完成する。これは図６に示す。
【００９９】
ステップ１００：管理ノードは、ブロードキャストメッセージを送信し、当該メッセージには、アップリンクとダウンリンクチャンネル制御情報を含み、さらに、本無線伝送ネットワークグループのトポロジー関係情報と無線リンク状況情報を含み、デバイス（ＲＳ或いはＭＳ）は、受信した後に前記情報を記憶し、ブロードキャストで送信されたこれらのチャンネル制御情報において、基地局は、中継局に送信される制御情報と、端末に送信される制御情報とを分けて説明することができる。一方、トポロジー関係情報と無線リンク状況情報は、従来のブロードキャストメッセージ、例えばＩＥＥＥ８０２．１６エアーインタフェースプロトコルにおけるＤＣＤメッセージにおいて、新たなメッセージフィールドを増えて付けてもよく、新たなブロードキャストメッセージ、例えば無線トポロジーブロードキャストメッセージで当該情報を付けてもよい。
【０１００】
ステップ１１０：あるＢＳの所属範囲に新たに入ったデバイスは、ＢＳ或いはＲＳの信号をスキャンし、それと同期化した後に、アップリンクとダウンリンクチャンネル制御情報を受信し、
前記ＢＳの所属範囲は、グループ内のＲＳにより広げられるカバー範囲を含む。
【０１０１】
ステップ１２０：前記デバイスは、受信された制御情報に基づき、アクセス過程を起動し、アクセスが成功した後、ＢＳとサービス接続を設立し、新たに加入したデバイスは、ＢＳに直接にアクセス可能性があれば、１つあるいは複数の中継のＲＳによりアクセスを完成する可能性もある。以下のいくつの方案はこれと同じである。
【０１０２】
ステップ１３０：前記デバイスはアクセスした後に、本無線伝送ネットワークグループの情報（無線ネットワークトポロジー情報、或いは無線ネットワークトポロジー情報と無線リンク状況情報を含む）、及び隣接セル情報（隣接セルの無線伝送ネットワークグループのトポロジー関係情報と無線リンク状況情報を含むことができ、オプショナル）に基づき、切替が必要であるかどうかを判断する。切替が必要である場合、ステップ１４０を行い、切替が必要ではない場合、ステップ１６０を行い、
ここで、方針とは、例えば、ジャンプ数は２ジャンプと２ジャンプ以下のノードから、無線リンク品質の一番よいノードを目標ノードとして選択することであってもよく、当該無線リンク品質の一番よいこととは、基地局への経路上の複数の無線リンクに対して重み（weighted）平均を行う結果であってもよい。
【０１０３】
ステップ１４０：前記デバイスは、目標ノードを選択し、基地局にリンク更新リクエストを送信し、当該リンク更新リクエストには、目標ノード標記及び無線状況が運ばれ、基地局は受信した後、本グループの無線伝送トポロジー情報と無線リンク状況情報と隣接セル情報（隣接セルの無線伝送ネットワークグループの無線ネットワークトポロジー情報及び/或いは無線リンク状況情報を含むことができ、オプショナル）及び対応な方針に基づき、リンク更新リクエスト応答をフィードバックし、どの目標基地局或いは中継局に切り替えるかをデバイスに指示し、前記デバイスは、目標ＢＳ或いはＲＳに再アクセスし、アクセスが成功した後、サービス接続を設立し、ステップ１５０を行い、アクセスが失敗した場合、ステップ１６０を行い
ここで、目標ＢＳ或いはＲＳは、初期アクセスと同じ無線伝送ネットワークグループである可能性があれば、他の１つの無線伝送ネットワークグループのＢＳ或いはＲＳである可能性もある。
【０１０４】
ステップ１５０：前記デバイスが再アクセスした無線伝送ネットワークグループの管理ノードは、自身の位置する伝送グループの無線ネットワークトポロジー情報を更新し、加入過程を完成する。
【０１０５】
ステップ１６０：前記デバイスの初期アクセスした無線伝送ネットワークグループの管理ノードは、自身の位置する伝送グループの無線ネットワークトポロジー情報を更新し、加入過程を完成する。
【０１０６】
ステップ１５０と１６０の具体的な過程は、さらに、以下のいくつの場合に分けられる。
【０１０７】
アクセスしたのはＲＳであり、且つ当該ＲＳは代理ノードである場合、当該代理ノードは、それに所属するサブ網の無線ネットワークトポロジー情報を更新して管理ノードに報告すべきであり、管理ノードは、位置する無線伝送ネットワークグループの無線ネットワークトポロジー情報を更新し、
アクセスしたのはＲＳであり、且つ当該ＲＳは代理ノードではない場合、当該ＲＳは、管理ノードに直接に報告し、管理ノードは、位置する無線伝送ネットワークグループの無線ネットワークトポロジー情報を更新し、
アクセスしたのはＢＳであり、且つ当該ＢＳは管理ノードである場合、当該ＢＳは、位置する伝送グループの無線ネットワークトポロジー情報の更新を直接に完成することができる。
【０１０８】
アクセスしたのはＢＳであり、且つ当該ＢＳは管理ノードではない場合、当該ＢＳは、管理ノードに報告し、管理ノードは、位置する無線伝送ネットワークグループの無線ネットワークトポロジー情報を更新する。
【０１０９】
他の方案において以上のいくつの方式があってもいい。
【０１１０】
無線伝送ネットワークグループの管理ノードは、無線ネットワークトポロジー情報を更新した後、当該情報を他のノードに送信することができる。その後、無線伝送ネットワークグループの管理ノードは、新たに増加した無線リンクの状況情報を獲得した後に更新を行い、他のノードにさらに送信してもよい。
【０１１１】
第２の方案
当該実施例において、デバイスはアクセスした後に、アクセスされた無線伝送ネットワークグループの管理ノードにより、ネットワークトポロジー情報と無線リンク状況情報に基づき、当該デバイスには切替の必要があるかどうかを判断し、切替の必要がある場合、切替の後に、ネットワークトポロジー情報の更新を行い、加入過程を完成する。これは図７に示す。
【０１１２】
ステップ２００：あるＢＳの範囲に新たに入ったデバイスは、ＢＳ或いはＲＳの信号をスキャンし、それと同期化した後に、アップリンクとダウンリンクチャンネル制御情報を受信する。
【０１１３】
ステップ２１０：前記デバイスは、受信された制御情報に基づき、アクセス過程を起動し、アクセスが成功した後、ＢＳとサービス接続を設立する。
【０１１４】
ステップ２２０：アクセスした無線伝送ネットワークグループの管理ノードは、記憶された本無線伝送ネットワークグループの情報（無線ネットワークトポロジー情報、或いは無線ネットワークトポロジー情報と無線リンク状況情報を含む）、隣接セル情報（オプショナル）及び設定された対応な方針に基づき、当該デバイスには切替が必要であるかどうかを判断する。切替が必要である場合、ステップ２３０を行い、そうでなければ、ステップ２６０を行い、
基地局は管理ノードではない場合、当該デバイスのアクセスしたノードを管理ノードに通知する必要がある。
【０１１５】
ステップ２３０：当該管理ノードは、前記デバイスの切替先となる目標ＢＳ或いはＲＳを確定して、目標ノードに切り替えるように前記デバイスに通知する。
【０１１６】
ステップ２４０：前記デバイスは目標ＢＳ或いはＲＳに再アクセスし、アクセスが成功した場合、ステップ２５０を行い、アクセスが失敗した場合、ステップ２６０を行う。
【０１１７】
ステップ２５０：前記デバイスはサービス接続を設立し、再アクセス先の無線伝送ネットワークグループの管理ノードは、自身の位置する伝送グループの無線ネットワークトポロジー情報を更新し、加入過程を完成する。
【０１１８】
ステップ２６０：前記デバイスの初期アクセスした無線伝送ネットワークグループの管理ノードは、自身の位置する伝送グループの無線ネットワークトポロジー情報を更新し、加入過程を完成する。
【０１１９】
無線伝送ネットワークグループの管理ノードは、無線ネットワークトポロジー情報を更新した後、当該情報を他のノードに送信することができる。その後、無線伝送ネットワークグループの管理ノードは、新たに増加した無線リンクの状況情報を獲得した後に更新を行い、他のノードにさらに送信してもよい。
【０１２０】
第３の方案
当該実施例において、デバイスはアクセスした後に、アクセスされた無線伝送ネットワークグループのＲＳにより、ネットワークトポロジー情報と無線リンク状況情報に基づき、当該デバイスには切替の必要があるかどうかを判断し、切替の必要がある場合、切替を完成した後に、ネットワークトポロジー情報を更新し、加入過程を完成する。これは図８に示す。
【０１２１】
この前提として、管理ノードは、無線伝送ネットワークグループ全体のトポロジー関係情報と無線リンク状況情報を、アクセスしたＲＳに送信し、即ち、ＲＳには当該情報が記憶されている。或いは、当該ＲＳは、所属する伝送サブ網のトポロジー関係情報と無線リンク状況情報を記憶している。
【０１２２】
ステップ３００：あるＢＳの範囲に新たに入ったデバイスは、ＲＳの信号をスキャンし、それと同期化した後に、アップリンクとダウンリンクチャンネル制御情報を受信し、
ステップ３１０：前記デバイスは、受信された制御情報に基づき、アクセス過程を起動し、アクセスが成功した後、前記ＲＳによりＢＳとサービス接続を設立する。
【０１２３】
ステップ３２０：前記デバイスのアクセスしたＲＳは、記憶された情報（無線ネットワークトポロジー情報、或いは無線ネットワークトポロジー情報と無線リンク状況情報、或いは本伝送サブ網の無線ネットワークトポロジー情報、或いは本伝送サブ網の無線ネットワークトポロジー情報と無線リンク状況情報を含む）、隣接セル情報（オプショナル）及び設定された対応な方針に基づき、当該デバイスには切替が必要であるかどうかを判断する。切替が必要である場合、ステップ３３０を行い、そうでなければ、ステップ３６０を行い、
前記ステップにおけるトポロジー関係情報と無線リンク状況情報は、伝送ネットワークグループ全体のものであってもよく、伝送サブ網に所属するものであってもよい。
【０１２４】
ステップ３３０：当該ＲＳは、前記デバイスの切替先となる目標ＢＳ或いはＲＳを確定して、目標ノードに切替るように前記デバイスに通知する。
【０１２５】
ステップ３４０：前記デバイスは目標ＢＳ或いはＲＳに再アクセスし、アクセスが成功した場合、サービス接続を設立し、ステップ３５０を行い、アクセスが失敗した場合、ステップ３６０を行う。
【０１２６】
ステップ３５０：前記デバイスの再アクセスした無線伝送ネットワークグループの管理ノードは、自身の位置する伝送グループの無線ネットワークトポロジー情報を更新し、加入過程を完成する。
【０１２７】
ステップ３６０：前記デバイスの初期アクセスした無線伝送ネットワークグループの管理ノードは、自身の所属する伝送グループの無線ネットワークトポロジー情報を更新し、加入過程を完成する。
【０１２８】
無線伝送ネットワークグループの管理ノードは、無線ネットワークトポロジー情報を更新した後、当該情報を他のノードに送信することができる。その後、無線伝送ネットワークグループの管理ノードは、新たに増加した無線リンクの状況情報を獲得した後に更新を行い、他のノードにさらに送信してもよい。
【０１２９】
同じように、管理ノードには、本無線伝送ネットワークグループのトポロジー関係情報のみが記憶される可能性があり、この場合は、前記フローにおける「無線リンク状況情報」を削除して同じフローを利用すればよい。
【０１３０】
第４の方案
当該実施例において、デバイスはアクセスした後に、アクセスされた無線伝送ネットワークグループの管理ノードにより、ネットワークトポロジー情報と、リアルタイムで検知された無線リンク状況情報に基づき、当該デバイスには切替の必要があるかどうかを判断し、切替の必要がある場合、切替を完成した後に、ネットワークトポロジー情報を更新し、加入過程を完成する。これは図９に示す。
【０１３１】
ステップ４００：あるＢＳの範囲に新たに入ったデバイスは、ＢＳ或いはＲＳの信号をスキャンし、それと同期化した後に、アップリンクとダウンリンクチャンネル制御情報を受信し、
ステップ４１０：前記デバイスは、受信された制御情報に基づき、アクセス過程を起動し、アクセスが成功した後、ＢＳとサービス接続を設立する。
【０１３２】
ステップ４２０：前記デバイスのアクセスした無線伝送ネットワークグループの管理ノードは、テストを始めるように当該新たにアクセスしたデバイスに指示するとともに、テストを合わせるように他のノードに指示する。当該デバイスは、１回或いは１連のテスト信号、例えば受信テスト信号を外部に送信し、をして、テスト状況、例えば信号強度やＳＮＲ、遅延などをフィードバックし、結果を管理ノードに通知する。管理ノードは、テスト結果に基づき、当該新たにアクセスしたデバイスと隣接するセルとの間の無線リンク状況情報を獲得して、記憶された無線リンク状況情報を更新する。
【０１３３】
ステップ４３０：管理ノードは、本無線伝送ネットワークグループの情報（記憶されたトポロジー関係情報、リアルタイムで検知された無線リンク状況情報を含む）、隣接セル情報（オプショナル）及び設定された対応な方針に基づき、当該デバイスには切替が必要であるかどうかを判断する。切替が必要である場合、ステップ４４０を行い、そうでなければ、ステップ４７０を行う。
【０１３４】
ステップ４４０：管理ノードは、前記デバイスの切替先となる目標ＢＳ或いはＲＳを確定して、目標ノードに切替るように当該デバイスに通知する。
【０１３５】
ステップ４５０：前記デバイスは目標ＢＳ或いはＲＳに再アクセスし、アクセスが成功した場合、サービス接続を設立し、ステップ４６０を行い、アクセスが失敗した場合、ステップ４７０を行う。
【０１３６】
ステップ４６０：前記デバイスの再アクセスした無線伝送ネットワークグループの管理ノードは、当該デバイスのアクセスしたノードを獲得し、自身の位置する伝送グループの無線ネットワークトポロジー情報を更新し、加入過程を完成する。
【０１３７】
ステップ４７０：前記デバイスの初期アクセスした無線伝送ネットワークグループの管理ノードは、当該デバイスのアクセスしたノードを獲得し、自身の位置する伝送グループの無線ネットワークトポロジー情報を更新し、加入過程を完成する。
【０１３８】
無線伝送ネットワークグループの管理ノードは、無線ネットワークトポロジー情報と無線リンク状況情報を更新した後、当該情報を他のノードに送信することができる。伝送の前に、テストの後に既に存在していない無線リンクの状況情報を廃棄することができる。
【０１３９】
本実施例は、リアルタイム検知を行うことにより、切替判定をより確実に行うように、最新の無線リンク状況情報を獲得することができる。
【０１４０】
第５の方案
当該実施例において、デバイスはアクセスした後に、切替判定はせず、無線伝送ネットワークグループのトポロジー情報を直接に更新し、加入過程を完成する。これは図１０に示す。
【０１４１】
ステップ５００：あるＢＳの範囲に新たに入ったデバイスは、ＢＳ或いはＲＳの信号をスキャンし、それと同期化した後に、アップリンクとダウンリンクチャンネル制御情報を受信する。
【０１４２】
ステップ５１０：前記デバイスは、受信された制御情報に基づき、アクセス過程を起動し、アクセスが成功した後、ＢＳとサービス接続を設立する。
【０１４３】
ステップ５２０：管理ノードは、前記デバイスの初期アクセスしたノードを獲得し、自身の所属する伝送グループの無線ネットワークトポロジー情報を更新し、加入過程を完成する。
【０１４４】
無線伝送ネットワークグループの管理ノードは、無線ネットワークトポロジー情報を更新した後、当該情報を他のノードに送信することができる。その後、無線リンク状況情報の更新と送信を行ってもよい。
【０１４５】
以下、本発明の無線中継局の接続関係更新の過程の具体的な実施形態について説明する。
【０１４６】
一般的には、ＲＳはある伝送グループに加入した後、ＲＳは、ＢＳに送信された隣接セル情報を受信し、自発的に或いは基地局の要求に従い、係る隣接セルを監視し、ＲＳにより監視された各隣接セルのダウンリンク無線チャンネル状況情報を含む監視結果をＢＳに報告する。
【０１４７】
接続関係の更新（以下、切替とも呼ばれる）は、ＢＳにより発してもよく、ＲＳにより発してもよい。端末、無線中継局及び基地局は、以下の幾つの状況が起こる可能性がある。
【０１４８】
（１）無線中継局ＲＳｘ及びそれに付けられる全てのＲＳ及び端末は、全体的に、新たな伝送グループ或いは本伝送グループ内の他のノードに移動する。この場合、無線中継局ＲＳｘは代表として、基地局とメッセージの交互を行えばよい。
【０１４９】
（２）無線中継局ＲＳｘのみには移動が起こり、それの下に係るＲＳ及び端末は、自身の検知した無線状況に基づき、切替を行うかどうかを決定する。
【０１５０】
また、基地局と無線中継局の接続更新の過程において、解決の必要がある重要な問題は、当該ＲＳの下に係る全ての無線中継局及び端末のサービス継続性をどのように確保することにある。
【０１５１】
第１の方案
当該方案では、接続関係の更新は、基地局により自発的に発し、図１１に示すように、本方案のフローは以下のステップを含む。
【０１５２】
ステップ６１０：ＢＳは、記憶された情報及び設定された方針に基づき、あるＲＳ１の接続関係を変更する必要があると判断した場合、目標ノードを選択して、目標ノードに切替リクエストを送信する。
【０１５３】
ＢＳは接続関係の更新を自発的にＲＳに要求するには、ａ、カバーの要求、ｂ、負荷バランスの要求、ｃ、スループットの向上の要求、ｄ、サービス品質の向上の要求、ｅ、オペレーターのネットワーク管理の要求などの多種のトリガー方式を有することができる。
【０１５４】
前記判断には、根拠としての記憶情報は、本グループのネットワークトポロジー関係情報、本グループの無線リンク状況情報、隣接無線伝送ネットワークグループのネットワークトポロジー関係情報、隣接無線伝送ネットワークグループの無線リンク状況情報、ＲＳにより報告された隣接セル情報等の情報のうちの１種或いは多種を含むことができる。前記トリガー方式に対応するトリガー条件を満たしているかどうかを判断する時に、及び目標ノードの選択を行う時に、本発明に設立及び記憶された本伝送グループ及び隣接伝送グループのネットワークトポロジー関係情報と無線リンク状況情報の判断を根拠の１つとすることができ、従って、判断や選択をよりよく行うために基礎を提供した。
【０１５５】
前記目標ノードは、本無線伝送ネットワークグループにおけるＢＳ或いはＲＳであってもよく、他の無線伝送ネットワークグループのノードであってもよい。目標ノードに切替リクエストを送信することは、ＲＳ１の次のアクセスの成功をさらに確保し、アクセスの失敗によるサービスの中断を防ぐためである。
【０１５６】
ステップ６２０：当該ＢＳは、目標ノードの切替許可の応答を獲得した後、ＲＳ１にはデータ伝送がある場合、既存の接続を保留すると共に、ＢＳは、ＲＳ１のために、目標ノードへのデータチャンネルを設立して、当該データチャンネルでＲＳ１のダウンリンクデータを送信してから、目標ノードに接続更新するようにＲＳ１を指示する。
【０１５７】
ここで、ノードＡからノードＢまでのリンクを１つのチャンネルとして定義し、このチャンネルは、無線によるものでもよく、無線と有線の混在するものでもよい。チャンネルの設立、変更及び削除は、無線ネットワークトポロジー情報と無線リンク状況情報に基づく必要がある。目標ノードへのデータチャンネルを設立しておくことにより、ＲＳ１に付けられる他のＲＳｎと端末のサービス中断時間を低減することができる。
【０１５８】
伝送グループを跨るリンク更新について、以下の方式に従い、チャンネルを設立することができる。
【０１５９】
１つ：目標ノードは他の１つの基地局である場合は、ネットワーク側データノード→ＲＳ１の切替の前に位置した基地局→目標基地局であり、目標ノードは他の１つの基地局に付けられるＲＳである場合は、ネットワーク側データノード→ＲＳ１の切替の前に位置した基地局→目標ＲＳの所属する基地局→目標ＲＳである。
【０１６０】
ここで、無線と有線とが混在するデータチャンネルを設立し、ダウンリンクデータは、ＲＳ１の切替前に位置した基地局から、元のデータチャンネルでＲＳ１に送信されると共に、もう１セットコピーされ、ＲＳ１の切替先となる目標ノードの所属する基地局に送信される。チャンネルの設立の後、目標ノードは、ＲＳ１にデータを送信し、ＲＳ１が目標ノードにアクセスしてから受信することができる。
【０１６１】
２つ：目標ノードは他の１つの基地局である場合は、ネットワーク側データノード→目標基地局であり、目標ノードは他の１つの基地局に付けられるＲＳである場合は、ネットワーク側データノード→目標ＲＳの所属する基地局→目標ＲＳである。
【０１６２】
このような方式では、ネットワーク側データノードから、ＲＳ１のダウンリンクデータを、目標ノードの所属する基地局に直接に送信することであり、元の基地局を経由して転送することではない。
【０１６３】
３つ：ネットワーク側データノード→ＲＳ１の切替の前にアクセスしたＢＳ→ＲＳ１の切替の前にアクセスしたＲＳ→目標ＲＳ或いは目標ＢＳである。
【０１６４】
ＲＳ１はＲＳにアクセスした場合、このような方式では、元のデータチャンネルを利用し、ＲＳ１のアクセスしたＲＳから目標ノードまでのリンクを増え、即ち、無線のデータチャンネルを設立することであり、基地局と基地局の間の有線接続を経由する必要がない。
【０１６５】
本伝送グループのリンク更新について、以下の方式に従い、チャンネルを設立することができる。
【０１６６】
１つ：ネットワーク側データノード→ＲＳ１の位置する基地局→目標ＲＳである。
【０１６７】
即ち、ダウンリンクデータは、基地局により元のデータチャンネルでＲＳ１に送信されると共に、１セットコピーされて、ＲＳ１の切替先となる目標ＲＳに送信する。
【０１６８】
２つ：ネットワーク側データノード→ＲＳ１の切替の前にアクセスしたＲＳ→目標ＲＳである。
【０１６９】
このような方式でも、元のデータチャンネルを利用して、ソースＲＳから目標ＲＳまでのリンクを新たなデータチャンネルとして増えることである。
【０１７０】
このような方式では、ＲＳ１は、アクセスしたＲＳから本グループのＢＳに切り替える時に、ネットワーク側データノードからＲＳ１の位置する伝送グループのＢＳまでのデータチャンネルは既に存在し、再設立する必要がない。
【０１７１】
目標ノードへのデータチャンネルを設立する時に、ＲＳ１の切替の前に位置した基地局或いはネットワーク側は、ＲＳ１に対応する無線接続属性（例えば、リンクのＱｏＳ要求やセキュリティ情報等）を、目標ノードの所属するＢＳに送信する必要がある。さらに、ＲＳの切替の前に位置した基地局、或いは位置した伝送サブ網における代理ノードとしてのＲＳ、或いはネットワーク側は、ＲＳ１及びそれに付けられるＲＳと端末の属性（例えばＲＳと端末の能力など）を、目標ノードの所属するＢＳ、或いは所属する伝送サブ網における代理ノードとしてのＲＳに送信してもよく、従って、ＲＳ１及びそれに付けられるＲＳと端末はリンクの切替の時に、係る交互の過程を省略することにより、アクセスの時間を低減させ、再アクセスの過程を加速させる。
【０１７２】
同様に、ＲＳ或いは端末は、予め、可能な隣接基地局と隣接ＲＳと同期して、これらの同期情報を記憶することができる。付けられるこれらのＲＳ及び端末は、接続更新の指示を受信した後、指示情報に基づき、自身の記憶した目標基地局/ＲＳ情報から、目標ノードの同期情報を探し出し、できる限り早めに、目標ノードと同期して無線ネットワーク接続を設立する。
【０１７３】
ステップ６３０：ＲＳ１は、接続更新指示を受信した後、接続更新を起動し、新たなノードとの無線リンクを設立した後、既存のデータチャンネルにおけるもう使用することのないリソースをリリースする。
【０１７４】
ＲＳ１は、目標ノードにアクセスした後、設立された目標ノードへのデータチャンネルによりデータを伝送し、ＲＳ１の既存のデータチャンネルと当該データチャンネルとは重なり合っていない部分がある場合、これらの部分の利用されていないリソースをリリースする。
【０１７５】
ＲＳ１は、基地局の要求に従って目標ノードに切り替えることなく、自身の選択した他のノードに切り替える場合もある。このような場合に、基地局は、設立されておいたデータチャンネルを廃除する必要がある。本発明では、このような可能性は排除しない。
【０１７６】
ステップ６４０：ＲＳ１の接続関係更新前後に所属する伝送グループの管理ノード（同一のＢＳであってもよい）は、記憶された本伝送グループの無線ネットワークトポロジー情報を更新し、ＲＳ１の接続関係更新過程を終了する。
【０１７７】
管理ノードは、無線ネットワークトポロジー情報を更新した後、対応な方針に基づき無線リンク状況情報を更新し、及び、当該情報を本グループ或いは隣接無線伝送ネットワークグループの他のノードに伝送することができる。
【０１７８】
以上のフローは、ＲＳ１に付けられる端末或いはＲＳがＲＳ１に従って全体的に移動することを考えた状況であり、即ち、ＲＳ１の静的状況における接続関係更新に適用してもよく、ＲＳ１とそれに付けられる端末及びＲＳと共に移動する際の状況に適用してもよい。
【０１７９】
前記の接続関係更新は、代理ノードとしてのＲＳにより、それに所属する伝送サブ網内におけるＲＳの接続関係更新を自発的に発してもよく、フローは前記フローと基本的に同じであり、切替を発したＢＳをＲＳに変更すればよい。また、接続関係更新の後、代理ノードとしてのＲＳは、ローカルの伝送サブ網のネットワークトポロジー関係情報を更新する必要がある。
【０１８０】
第２の方案
当該方案では、接続関係の更新は、無線中継局により自発的に発し、図１２に示すように、以下のステップを含む。
【０１８１】
ステップ７１０：ＲＳ１は、記憶された情報及び自身の方針に基づき、接続関係更新を行う必要があると判断した場合、目標ノードを選択して、本無線伝送ネットワークグループのＢＳに切替リクエストを送信する。
【０１８２】
この目標ノードは、本無線伝送ネットワークグループのＲＳ或いはＢＳであってもよく、他の無線伝送ネットワークグループのＲＳ或いはＢＳであってもよい。
【０１８３】
ＲＳ１の判断の根拠としての記憶情報は、本無線伝送ネットワークグループのネットワークトポロジー関係情報、本無線伝送ネットワークグループの無線リンク状況情報、隣接無線伝送ネットワークグループのネットワークトポロジー関係情報、隣接無線伝送ネットワークグループの無線リンク状況情報、ＲＳにより計測された周囲の隣接セル情報等の情報のうちの１種或いは多種を含むことができる。
【０１８４】
無線中継局は接続関係の更新を自発的にリクエストするにも、例えば、ａ、よりよい無線信号の発見、ｂ、よりよい無線リソースを獲得する要求、ｃ、よりよいサービス品質を請求する要求、ｄ、ネットワーク管理要求などの多種のトリガー方式を有することができる。
【０１８５】
ステップ７２０：当該ＢＳは、リクエストを受信した後、切替可能だと判断する場合、本ＢＳの選択した目標ノードを確定して、目標ノードに切替リクエストを送信し、そうでなければ、リクエストを拒否する。
【０１８６】
ＢＳは、リクエストを受信した後、ＲＳ１の選択した目標ノードを、本ＢＳの選択する目標ノードとしてよく、ＲＳ１から提供された情報と、自身の記憶された情報（ステップ６１０における記憶情報と同じである）及び設定された方針とに基づき、ＲＳ１の選択した目標ノードから、一部を本ＢＳの選択する目標ノードとして選択してもよく、或いは、ＲＳ１のために、新たな目標ノードを再選択してもよい。
【０１８７】
ステップ７３０：当該ＢＳは、目標ノードの切替許可の応答を獲得した後、ＲＳ１にはデータ伝送がある場合、既存の接続を保留すると共に、当該ＢＳは、ＲＳ１のために、目標ノードへのデータチャンネルを設立してから、目標ノードに接続更新するようにＲＳ１を指示する。
【０１８８】
データチャンネルの設立や、ＲＳ１に付けられる端末とＲＳの属性の伝送、及び目標ＢＳ或いはＲＳの同期情報の事前記憶などについて、前記第１の方案の内容を利用することができ、ここでは重複の説明を省略する。
【０１８９】
ステップ７４０：ＲＳ１は、接続更新指示を受信した後、接続更新を起動し、新たなノードとの無線リンクを設立した後、既存のデータチャンネルにおけるもう使用することのないリソースをリリースする。
【０１９０】
ステップ７５０：ＲＳ１の接続関係更新前後に所属する伝送グループの管理ノード（グループ内の切替の時は同一のＢＳ或いはＲＳである）は、記憶された本伝送グループの無線ネットワークトポロジー情報を更新し、ＲＳ１の接続関係更新過程を終了する。
【０１９１】
最後の３つのステップ及び具体的な実現は、第１の方案と同じであり、詳細の説明を省略する。同じように、前記接続関係更新は、ＲＳ１により、アクセスした代理ノードＲＳに報告してもよく、フローは前記フローと基本的に同じであり、ＲＳ１に位置するグループのＢＳを、位置する伝送サブ網の代理ノードＲＳに変更すればよい。
【０１９２】
説明の必要があるのは、本発明では、接続更新を起動する前に目標ノードへのチャンネルを設立することに限定されなく、基本品質要求を満たす場合、ＲＳ或いは端末は可能な隣接基地局/ＲＳと予め同期することのみを利用してもよく、或いは、ＲＳ１の無線接続属性及び/或いはＲＳ１及びそれに付けられる端末やＲＳの属性のみを、目標ノードの所属するＢＳに通知することを利用してもよい。
【産業上の利用可能性】
【０１９３】
本発明は、無線中継局を含む無線通信システムに適用することができ、無線中継局の接続関係の更新を実現する。
【図１】
2010524368.tif 000006
【図２】
2010524368.tif 000007
【図３】
2010524368.tif 000008
【図４】
2010524368.tif 000009
【図５】
2010524368.tif 000010
【図６】
2010524368.tif 000011
【図７】
2010524368.tif 000012
【図８】
2010524368.tif 000013
【図９】
2010524368.tif 000014
【図１０】
2010524368.tif 000015
【図１１】
2010524368.tif 000016
【図１２】
2010524368.tif 000017
【国際調査報告】
2010524368.tif 000018
2010524368.tif 000019
2010524368.tif 000020
2010524368.tif 000021
2010524368.tif 000022